(57)【特許請求の範囲】
【請求項１】
経路案内の目標地となりジャンルが駐車場ではない候補と、当該候補と関連する駐車場の位置を示す位置情報と、を関連付けて記憶する記憶部と、
外部入力に基づき、検索条件を特定する検索条件特定手段と、
前記候補から、前記検索条件を満たす候補を検索する検索手段と、
前記検索条件を満たす候補のうち、当該候補と前記位置情報が関連付けられた前記駐車場の数が多い候補ほど、優先的に検索結果として表示する検索結果出力手段と、
を備えることを特徴とする表示装置。
【請求項２】
前記駐車場は、優先順位が定められた複数の種類に分類され、
前記検索結果出力手段は、前記優先順位が高い前記種類の駐車場の数が大きい候補ほど、優先的に検索結果として表示することを特徴とする請求項１に記載の表示装置。
【請求項３】
前記駐車場は、優先順位が定められた複数の種類に分類され、
前記検索結果出力手段は、前記優先順位に基づき前記種類ごとの駐車場の数の重み付けを行い、当該重み付け後の駐車場の数の合算値が大きい候補ほど、優先的に検索結果として表示することを特徴とする請求項１に記載の表示装置。
【請求項４】
車両に搭載され、
前記駐車場のうち、外部入力又は前記車両の過去の駐車履歴に基づき登録された第１駐車場が、少なくとも前記種類のうちの１の種類として分類され、
前記検索結果出力手段は、前記第１駐車場の前記優先順位を最も高く設定することを特徴とする請求項２または３に記載の表示装置。
【請求項５】
前記駐車場のうち、他の装置と前記駐車場の情報を共有することで登録された第２駐車ポイントが、少なくとも前記種類のうちの１の種類として分類され、
前記検索結果出力手段は、前記第２駐車場の前記優先順位を最も高く設定することを特徴とする請求項２または３に記載の表示装置。
【請求項６】
前記検索結果出力手段は、前記検索条件を満たす候補を検索結果として表示する際、少なくとも当該候補の前記駐車場の数を表示することを特徴とする請求項１乃至５のいずれか一項に記載の表示装置。
【請求項７】
前記検索結果出力手段は、
前記検索条件を満たす候補のリストを検索結果として表示すると共に、
前記リストから選択された候補の位置と、当該候補と位置情報が関連付けられた前記駐車場の位置とを、地図上に表示することを特徴とする請求項１乃至６のいずれか一項に記載の表示装置。
【請求項８】
経路案内の目標地となりジャンルが駐車場ではない候補と、当該候補と関連する駐車場の位置を示す駐車場の位置情報と、を関連付けて記憶する記憶部を備える表示装置により実行される制御方法であって、
外部入力に基づき、検索条件を特定する検索条件特定工程と、
前記候補から、前記検索条件を満たす候補を検索する検索工程と、
前記検索条件を満たす候補のうち、当該候補と前記位置情報が関連付けられた前記駐車場の数が多い候補ほど、優先的に検索結果として表示する検索結果出力工程と、
を備えることを特徴とする制御方法。
【請求項９】
経路案内の目標地となりジャンルが駐車場ではない候補と、当該候補と関連する駐車場の位置を示す駐車場の位置情報と、を関連付けて記憶する記憶部を備える表示装置に搭載され実行されるプログラムであって、
外部入力に基づき、検索条件を特定する検索条件特定手段と、
前記候補から、前記検索条件を満たす候補を検索する検索手段と、
前記検索条件を満たす候補のうち、当該候補と前記位置情報が関連付けられた前記駐車場の数が多い候補ほど、優先的に検索結果として表示する検索結果出力手段、
として前記表示装置を機能させることを特徴とするプログラム。
【請求項１０】
請求項９に記載のプログラムを記憶したことを特徴とする記憶媒体。
【発明の詳細な説明】
【技術分野】
【０００１】
本発明は、ナビゲーション装置による使用者への情報提示の制御技術に関する。
【背景技術】
【０００２】
従来から、施設の周辺地図を表示する際、当該施設と関連する駐車場の位置を表示する技術が存在する。例えば、特許文献１には、施設検索により指示された施設の周辺地図を描画する際、提携先駐車場を施設内駐車場と共に施設の周辺地図上に表示する技術が開示されている。
【先行技術文献】
【特許文献】
【０００３】
【特許文献１】特開平１０−０８９９８９号公報
【発明の概要】
【発明が解決しようとする課題】
【０００４】
通常、使用者が検索条件を指定して施設検索を行う場合、ナビゲーション装置は、検索条件に合致する複数の施設のリストを、例えば当該施設名称の５０音順に又は現在地から近い順に表示する。一方、使用者は、駐車しやすい施設を優先的に選択したい場合がある。従って、この場合、使用者は、検索結果としてリスト表示された施設に駐車可能な場所が存在するか否かを、各施設を選択して地図表示等することにより確かめる必要がある。上記の問題は、特許文献１には、何ら検討されていない。
【０００５】
本発明は、上記のような課題を解決するためになされたものであり、使用者の意図に適った検索結果の表示を実行することが可能なナビゲーション装置を提供することを目的とする。
【課題を解決するための手段】
【０００６】
請求項１に記載の発明は、経路案内の目標地となりジャンルが駐車場ではない候補と、当該候補と関連する駐車場の位置を示す位置情報と、を関連付けて記憶する記憶部と、外部入力に基づき、検索条件を特定する検索条件特定手段と、前記候補から、前記検索条件を満たす候補を検索する検索手段と、前記検索条件を満たす候補のうち、当該候補と前記位置情報が関連付けられた前記駐車場の数が多い候補ほど、優先的に検索結果として表示する検索結果出力手段と、を備えることを特徴とする。
【０００７】
請求項８に記載の発明は、経路案内の目標地となりジャンルが駐車場ではない候補と、当該候補と関連する駐車場の位置を示す駐車場の位置情報と、を関連付けて記憶する記憶部を備える表示装置により実行される制御方法であって、外部入力に基づき、検索条件を特定する検索条件特定工程と、前記候補から、前記検索条件を満たす候補を検索する検索工程と、前記検索条件を満たす候補のうち、当該候補と前記位置情報が関連付けられた前記駐車場の数が多い候補ほど、優先的に検索結果として表示する検索結果出力工程と、を備えることを特徴とする。
【０００８】
請求項９に記載の発明は、経路案内の目標地となりジャンルが駐車場ではない候補と、当該候補と関連する駐車場の位置を示す駐車場の位置情報と、を関連付けて記憶する記憶部を備える表示装置に搭載され実行されるプログラムであって、外部入力に基づき、検索条件を特定する検索条件特定手段と、前記候補から、前記検索条件を満たす候補を検索する検索手段と、前記検索条件を満たす候補のうち、当該候補と前記位置情報が関連付けられた前記駐車場の数が多い候補ほど、優先的に検索結果として表示する検索結果出力手段、として前記表示装置を機能させることを特徴とする。
【図面の簡単な説明】
【０００９】
【図１】各実施例に係るナビゲーション装置の概略構成の一例である。
【図２】各実施例に係るナビゲーション装置の機能ブロックの一例である。
【図３】第１実施例に係るナビゲーション装置の表示例である。
【図４】比較例に係るナビゲーション装置の表示例である。
【図５】第１実施例の処理手順を示すフローチャートの一例である。
【図６】第２実施例に係るナビゲーション装置の表示例である。
【発明を実施するための形態】
【００１０】
本発明の１つの観点では、経路案内の目標地となる候補と、当該候補と関連する駐車場又は当該駐車場の入口の位置を示す駐車ポイントと、を関連付けて記憶する記憶部と、外部入力に基づき、検索条件を特定する検索条件特定手段と、前記候補から、前記検索条件を満たす候補を検索する検索手段と、前記検索条件を満たす候補のうち、当該候補に関連付けられた前記駐車ポイントの数が大きい候補ほど、優先的に検索結果として表示する検索結果出力手段と、を備える。
【００１１】
上記のナビゲーション装置は、車両に設置され、記憶部と、検索条件特定手段と、検索手段と、検索結果出力手段と、を備える。記憶部は、経路案内の目標地となる候補と、これに関連する駐車ポイントとを関連付けて記憶する。ここで、「目標地」とは、経路案内の目標となる地点を指し、いわゆる目的地及び立寄地を含む。また、「目標地となる候補」とは、施設その他使用者が目標地として設定可能な地点又はエリアを指す。「駐車ポイント」とは、駐車場又は当該駐車場の入口の位置を示し、１の駐車場に複数の入口がある場合には、駐車場の数だけ駐車ポイントがあることと定めてもよく、または、入口の数だけ駐車ポイントがあることと定めてもよい。検索条件特定手段は、外部入力に基づき、検索条件を特定する。ここで、「外部入力」とは、ナビゲーション装置の使用者の操作に基づく入力を指す。検索手段は、検索条件を満たす候補を検索する。検索結果出力手段は、検索条件を満たす候補のうち、当該候補に関連付けられた駐車ポイントの数が大きい候補ほど、優先的に検索結果として表示する。具体的には、検索結果出力手段は、検索結果を画面上にリスト表示する場合、駐車ポイントの数が大きい候補ほど、当該リストの上位に表示する。このようにすることで、ナビゲーション装置は、駐車しやすい候補を検索結果として積極的に提示することができる。従って、使用者は駐車しやすい候補を目標地として選択することが容易となり、利便性が向上する。また、駐車ポイントは、通常、多数の者が立ち寄る大型施設に多く関連付けられる。従って、使用者は、初めて行く場所であっても、大型施設を検索結果から容易に選択することができる。
【００１２】
上記のナビゲーション装置の一態様では、前記駐車ポイントは、優先順位が定められた複数の種類に分類され、前記検索結果出力手段は、前記優先順位が高い前記種類の駐車ポイントの数が大きい候補ほど、優先的に検索結果として表示する。ここで、優先順位は、予め定められていてもよく、外部入力に基づき決定又は変更されてもよい。また、駐車ポイントの種類は、例えば、予め記憶部に記憶された駐車ポイントの他、使用者個人用に事後的に登録された駐車ポイントや、ネットワーク上のサーバから配信された駐車ポイントなどがある。このようにすることで、ナビゲーション装置は、駐車ポイントの種類を考慮して検索結果を使用者に提示することができる。
【００１３】
上記のナビゲーション装置の他の一態様では、前記駐車ポイントは、優先順位が定められた複数の種類に分類され、前記検索結果出力手段は、前記優先順位に基づき前記種類ごとの駐車ポイントの数の重み付けを行い、当該重み付け後の駐車ポイントの数の合算値が大きい候補ほど、優先的に検索結果として表示する。この態様によれば、検索結果出力手段は、各種類の駐車ポイントごとに所定の重み付け係数を乗じて得た値を合算値として産出する。そして、検索結果出力手段は、当該合算値が大きい候補ほど、優先的に表示する。このようにすることで、ナビゲーション装置は、駐車ポイントの種類を考慮して検索結果を使用者に提示することができる。
【００１４】
上記のナビゲーション装置の他の一態様では、車両に搭載され、前記駐車ポイントのうち、外部入力又は前記車両の過去の駐車履歴に基づき生成された第１駐車ポイントが、少なくとも前記種類のうちの１の種類として分類され、前記検索結果出力手段は、前記第１駐車ポイントの前記優先順位を最も高く設定する。即ち、第１駐車ポイントは、駐車ポイントの種類の１つであり、ナビゲーション装置の使用者の行為に起因して個人用に生成された駐車ポイントである。従って、この態様では、ナビゲーション装置は、使用者自身がよく立ち寄る施設等を検索結果の上位に提示することができる。
【００１５】
上記のナビゲーション装置の他の一態様では、前記駐車ポイントのうち、他のナビゲーション装置と前記駐車ポイントの情報を共有することで登録された第２駐車ポイントが、少なくとも前記種類のうちの１の種類として分類され、前記検索結果出力手段は、前記第２駐車ポイントの前記優先順位を最も高く設定する。即ち、第２駐車ポイントは、駐車ポイントの種類の１つであり、例えば駐車ポイントの情報を管理するサーバを介して当該ナビゲーション装置と他のナビゲーション装置とが共有する駐車ポイントである。この態様では、ナビゲーション装置は、他のナビゲーション装置の使用者により頻繁に利用される施設等を優先的に検索結果として使用者に提示することができる。
【００１６】
上記のナビゲーション装置の他の一態様では、前記検索結果出力手段は、前記検索条件を満たす候補を検索結果として表示する際、少なくとも当該候補の前記駐車ポイントの数を表示する。ここで、検索結果出力手段は、駐車ポイントの数を数字で表示してもよく、グラフなどで図案化して駐車ポイントの数が感覚的に認識可能なように表示してもよい。このようにすることで、ナビゲーション装置は、明確に使用者に駐車ポイントの数を通知することができる。
【００１７】
本発明の他の観点では、経路案内の目標地となる候補と、当該候補と関連する駐車場又は当該駐車場の入口の位置を示す駐車ポイントと、を関連付けて記憶する記憶部を備えるナビゲーション装置により実行される制御方法であって、外部入力に基づき、検索条件を特定する検索条件特定工程と、前記候補から、前記検索条件を満たす候補を検索する検索工程と、前記検索条件を満たす候補のうち、当該候補に関連付けられた前記駐車ポイントの数が大きい候補ほど、優先的に検索結果として表示する検索結果出力工程と、を備える。ナビゲーション装置は、この方法を使用することで、駐車しやすい候補を検索結果として積極的に提示することができる。従って、使用者は駐車しやすい候補を目標地として選択することが容易となり、利便性が向上する。
【００１８】
本発明のさらに別の観点では、経路案内の目標地となる候補と、当該候補と関連する駐車場又は当該駐車場の入口の位置を示す駐車ポイントと、を関連付けて記憶する記憶部を備えるナビゲーション装置に搭載され実行されるプログラムであって、外部入力に基づき、検索条件を特定する検索条件特定手段と、前記候補から、前記検索条件を満たす候補を検索する検索手段と、前記検索条件を満たす候補のうち、当該候補に関連付けられた前記駐車ポイントの数が大きい候補ほど、優先的に検索結果として表示する検索結果出力手段、として前記ナビゲーション装置を機能させる。ナビゲーション装置は、このプログラムを搭載して実行することで、駐車しやすい候補を検索結果として積極的に提示することができる。従って、使用者は駐車しやすい候補を目標地として選択することが容易となり、利便性が向上する。好適には、上記プログラムは、記憶媒体に記憶される。
【実施例】
【００１９】
以下、図面を参照して本発明の好適な第１実施例及び第２実施例について説明する。まず、本発明の各実施例に共通するナビゲーション装置の概略構成について説明する。
【００２０】
なお、以後の説明では、ナビゲーション装置１が搭載された車両を、「搭載車両」と呼ぶ。また、「使用者」とは、搭載車両の運転者の他、搭載車両の乗員も含むものとする。さらに、「目的地等」とは、使用者がナビゲーション装置１に設定した目的地の他、使用者が目的地の途中で立ち寄る地点（立寄地）として設定した地点も含むものとする。また、「施設」とは、建物や設備の他、目的地等として設定され得る地点を指す。
【００２１】
［概略構成］
図１に、ナビゲーション装置１の概略構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００２２】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００２３】
ＧＰＳ受信機１８は、複数のＧＰＳ衛星から、測位用データを含む下り回線データを搬送する電波１９を受信する。測位用データは、緯度及び経度情報等から車両の絶対的な位置（以後、「現在地」とも呼ぶ。）を検出するために用いられる。
【００２４】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。
【００２５】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。なお、これらのシステムコントローラ２０の各要素が実行する具体的な処理については、後述する。
【００２６】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００２７】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００２８】
データ記憶ユニット３６は、例えば、ＨＤＤなどにより構成され、地図データなどのナビゲーション処理に用いられる各種データを記憶するユニットである。特に、データ記憶ユニット３６は、地図データとして、各施設の位置情報その他施設に関連する情報（以後、「施設情報」と呼ぶ。）のデータベースを記憶する。また、データ記憶ユニット３６は、施設ごとに、当該施設を利用する際に駐車可能な場所又はその入口（以後、「駐車ポイントＰ」と呼ぶ。）の位置情報（即ち、緯度経度情報）を記憶する。なお、１の駐車場に対し複数の入り口が存在した場合、駐車ポイントＰは、当該入口の数分だけ存在するものとする。
【００２９】
通信装置３８は、例えば、ＦＭチューナやビーコンレシーバ、携帯電話や専用の通信カードなどにより構成され、ＶＩＣＳセンタ、又は各車両の走行履歴を蓄積管理して渋滞情報を提供するサーバなどから配信される渋滞情報その他交通情報を電波３９より取得する。そしてインタフェース３７は、通信装置３８のインタフェース動作を行い、交通情報をシステムコントローラ２０等に入力する。
【００３０】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００３１】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３２】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。
【００３３】
なお、図１のシステムコントローラ２０は、本発明における検索条件特定手段、検索手段、及び検索結果出力手段に相当する。
【００３４】
次に、駐車ポイントＰについて詳しく説明する。駐車ポイントＰは、その登録された経緯に基づき、複数の種類に分類される。ここでは、駐車ポイントＰは、一例として、「既存駐車ポイントＰａ」、「個人駐車ポイントＰｉ」、及び「共有駐車ポイントＰｕ」の３種類に分類されるものとする。既存駐車ポイントＰａは、データ記憶ユニット３６が予め地図データとして記憶している駐車ポイントＰを指す。個人駐車ポイントＰｉは、ユーザの操作や過去の駐車履歴に起因して新たに施設と関連付けられた駐車ポイントＰを指す。共有駐車ポイントＰｕは、他のナビゲーション装置と情報共有することにより登録された駐車ポイントＰを指す。
【００３５】
ここで、個人駐車ポイントＰｉ及び共有駐車ポイントＰｕの登録方法について説明する。まず、個人駐車ポイントＰｉの登録方法について説明する。システムコントローラ２０は、例えば、目的地等が設定されている場合であって、当該目的地等から十分近い距離で搭載車両が駐車されたと認めた場合、当該駐車地点を、当該目的地等の個人駐車ポイントＰｉとして登録する。そして、システムコントローラ２０は、当該駐車地点の位置情報をＧＰＳ受信機１８から取得し、当該目的地等と関連づけてデータ記憶ユニット３６に記憶させる。他の例では、使用者が画面操作により手動で個人駐車ポイントＰｉを登録してもよい。
【００３６】
次に、共有駐車ポイントＰｕの登録方法の一例について説明する。使用者は、データ記憶ユニット３６をナビゲーション装置１から分離してインターネット等のネットワークに接続した自宅の端末と電気的に接続させる。そして、使用者は、当該端末のブラウザ等を介して、個人駐車ポイントＰｉの情報を管理するサーバ（以後、「データ管理サーバ」と呼ぶ。）へ個人駐車ポイントＰｉの情報をアップロードすると共に、データ管理サーバに登録された共有駐車ポイントＰｕの情報をダウンロードする。これにより、データ記憶ユニット３６は、共有駐車ポイントＰｕの情報を記憶する。即ち、データ管理サーバには多数の使用者により登録された個人駐車ポイントＰｉの情報がアップロードされるため、データ記憶ユニット３６は、他の使用者が登録した個人駐車ポイントＰｉの情報を共有駐車ポイントＰｕの情報として記憶する。
【００３７】
なお、個人駐車ポイントＰｉ、共有駐車ポイントＰｕ、及び既存駐車ポイントＰａが互いに重複する場合、システムコントローラ２０は、所定の優先順位に基づき、いずれか１つの駐車ポイントＰのみをデータ記憶ユニット３６に記憶させてもよい。
【００３８】
［第１実施例］
（基本説明）
次に、第１実施例でシステムコントローラ２０が実行する処理について説明する。概略的には、システムコントローラ２０は、目的地等を設定するための検索結果を表示する場合、検索条件を満たす施設を、当該施設情報に含まれる駐車ポイントＰの数（以後、「駐車ポイント数Ｎｐ」と呼ぶ。）が多いほど優先的に表示する。このようにすることで、システムコントローラ２０は、駐車が容易な施設を上位に提示し、利便性を向上させる。
【００３９】
この処理について、図２を参照して具体的に説明する。図２は、システムコントローラ２０の機能ブロックを示した図の一例である。図２に示すように、システムコントローラ２０は、検索条件特定部２０１と、検索部２０２と、検索結果出力部２０３と、を備える。以下、これらの各要素が実行する処理について説明する。
【００４０】
まず、検索条件特定部２０１が実行する処理について説明する。検索条件特定部２０１は、入力装置６０から供給される入力情報に基づき、検索条件を特定する。例えば、検索条件特定部２０１は、施設名称に基づき検索を行う名称検索の場合、所望の施設の施設名称の全部又は一部に該当するキーワード（以後、「検索文字列」とも呼ぶ。）の入力を受け付けると共に、適宜、当該施設が存在するエリアの指定又は／及び当該施設が属するジャンルの指定を受け付ける。そして、検索条件特定部２０１は、この場合、上述の検索文字列、指定されたエリア（以後、「指定エリア」と呼ぶ。）、及び指定されたジャンル（以後、「指定ジャンル」と呼ぶ。）を検索条件として特定する。
【００４１】
次に、検索部２０２が実行する処理について説明する。検索部２０２は、検索条件を満たす施設（以後、「該当施設」と呼ぶ。）を、データ記憶ユニット３６が記憶する施設情報のデータベースから抽出する。例えば、上述の名称検索の場合、検索部２０２は、入力されたキーワードを施設名称に含む施設であって、かつ、指定エリア内に存在し、指定ジャンルに属する施設を該当施設として抽出する。
【００４２】
次に、検索結果出力部２０３が実行する処理について説明する。検索結果出力部２０３は、該当施設の施設情報に含まれる駐車ポイント数Ｎｐに基づき、該当施設を表示する順番（以後、単に「表示順位」と呼ぶ。）を決定する。そして、検索結果出力部２０３は、表示順位に基づき該当施設を検索結果として表示ユニット４０に表示する。具体的には、検索結果出力部２０３は、駐車ポイント数Ｎｐが大きい該当施設ほど、表示順位を高く設定する。そして、検索結果出力部２０３は、検索結果のリスト（以後、「検索結果リスト」と呼ぶ。）を表示する際、駐車ポイント数Ｎｐが大きい該当施設ほど検索結果リストの上位に表示する。
【００４３】
このようにすることで、システムコントローラ２０は、駐車が容易な施設を優先的に提示し、使用者の利便性を向上させることができる。
【００４４】
なお、検索結果出力部２０３は、駐車ポイント数Ｎｐが同じ該当施設が存在する場合、これらの表示順位を５０音順に定めてもよく、現在地に近い順に定めてもよい。
【００４５】
（表示例）
次に、図３を参照して第１実施例で表示ユニット４０が出力する表示画面について説明する。以後の説明では、ナビゲーション装置１は、一例としてタッチパネル方式による入力を受け付けるものとする。また、図３中の「Ａ」、「Ｂ」、「Ｃ」は、それぞれ所定の平仮名を表示するものとする。また、破線枠は、仮想的な領域を示す。
【００４６】
図３（ａ）は、名称検索を実行する際の入力画面表示例を示す。表示画面７０ｘは、入力された検索文字列を表示する入力表示欄７１と、タッチパネルによる文字入力部７２と、を備える。さらに、表示画面７０ｘは、指定ジャンルの選択画面へ移行するためのジャンル選択ボタン７３と、指定エリアの選択画面へ移行するためのエリア選択ボタン７４と、検索を開始するための候補表示ボタン７５と、を備える。
【００４７】
まず、使用者は、文字入力部７２中の文字部分を押下することにより、検索文字列を入力する。ここでは、使用者は、入力表示欄７１に示すように、「ＡＢＣえき」と入力を行ったものとする。また、使用者は、必要に応じて、ジャンル選択ボタン７３を押下することにより、指定ジャンルの選択画面を表示させる。そして、使用者は、当該選択画面から指定ジャンルを選択するための入力を行う。同様に、使用者は、必要に応じて、エリア選択ボタン７４を押下することにより、指定エリアの選択画面を表示させる。そして、使用者は、当該選択画面から指定エリアを選択するための入力を行う。
【００４８】
そして、使用者が候補表示ボタン７５を押下した場合、検索条件特定部２０１は、検索条件を特定する。そして、検索部２０２は、検索条件に基づき該当施設を特定し、検索結果出力部２０３は、各該当施設の表示順位を決定する。
【００４９】
図３（ｂ）は、名称検索の実行後の出力画面表示例を示す。表示画面７０ｙは、検索結果リスト７６と、検索結果リスト７６の表示部分の切り替えを実行するための表示切替ボタン７７と、検索結果リスト７６の全体に占める表示部分の位置を表示するスクロールバー７８と、地図表示部７９と、を備える。
【００５０】
図３（ｂ）に示すように、表示画面７０ｙは、施設名称表示欄８６及び駐車ポイント数表示欄８７を備える検索結果リスト７６を、表示順位が高い該当施設から上位に表示している。ここで、施設名称表示欄８６は、該当施設の施設名称を表示する。また、駐車ポイント数表示欄８７は、該当施設の駐車ポイント数Ｎｐを表示する。図３（ｂ）では、駐車ポイント数Ｎｐが８で最も多い該当施設「ＡＢＣ駅」が、検索結果リスト７６の最上位に表示されている。また、検索結果出力部２０３は、使用者が表示切替ボタン７７を押下した場合、表示順位が５番目以降の検索結果リスト７６を適宜表示する。
【００５１】
地図表示部７９は、検索結果リスト７６の１の該当施設（ここでは、検索結果リストの最上位に位置する「ＡＢＣ駅」）の位置を地図表示部７９で地図表示している。アイコン８０は、該当施設「ＡＢＣ駅」の駐車ポイントＰの位置を表示するアイコンである。
【００５２】
このように、検索結果出力部２０３は、駐車ポイント数Ｎｐが多い該当施設ほど検索結果リスト７６の上位に表示することで、駐車しやすい該当候補の選択を容易にすることができる。また、検索結果出力部２０３は、駐車ポイント数表示欄８７を設けることで、駐車ポイント数Ｎｐを使用者に明確に把握させることができる。
【００５３】
（効果）
次に、第１実施例の効果について図４の比較例を用いて補足説明する。図４は、比較例における名称検索の実行後の出力画面表示例を示す。表示画面９０は、検索結果リスト７６ｘと、表示切替ボタン７７ｘと、スクロールバー７８ｘと、地図表示部７９ｘと、を備える。
【００５４】
図４に示すように、表示画面９０は、該当施設を５０音順に、又は現在地から近い順に、検索結果リスト７６ｘを表示している。また、図４では、該当施設「ＡＢランド」が検索結果リスト７６ｘから選択されている。その結果、地図表示部７９ｘは、「ＡＢランド」を中心とした周辺地図を表示している。また、地図表示部７９ｘは、「ＡＢランド」に関連付けられた駐車ポイントＰをアイコン８０ｘにより表示している。
【００５５】
このように、比較例では、使用者が検索結果リスト７６ｘの任意の該当施設を選択することで、地図表示部７９ｘは、その該当施設に関連付けられた駐車ポイントＰをアイコン８０ｘにより表示する。従って、比較例では、使用者は、検索結果リスト７６ｘから該当施設を選択しなければ、その該当施設に関連付けられた駐車ポイント数Ｎｐを知ることができない。また、比較例では、検索結果リスト７６ｘは、該当施設の施設名称の５０音順等所定の規則に従い並べられる。従って、比較例では、検索結果リスト７６ｘの上位の該当施設が多くの駐車ポイントＰを有するとは限らない。よって、使用者は、駐車ポイント数Ｎｐの多い順に、即ち、駐車が容易な順に、該当施設を選択したい場合に、不便に感じる可能性がある。
【００５６】
以上を勘案し、第１実施例では、システムコントローラ２０は、駐車ポイント数Ｎｐの多い順に検索結果を表示する。これにより、使用者は、駐車しやすい該当施設を容易に選択することができる。また、一般に、駐車ポイント数Ｎｐは、駐車場及びその入り口が多く設けられた大型施設ほど多くなる。また、共有駐車ポイントＰｕのように、多数の使用者の行動を集計することにより駐車ポイントＰを決定する場合、駐車ポイント数Ｎｐは、多数の使用者が利用する施設ほど大きくなる。よって、第１実施例では、システムコントローラ２０は、大勢の人に利用される施設や大型施設ほど、検索結果リストの上位に提示することができる。従って、システムコントローラ２０は、より使用者の意図に適った該当施設を検索結果として使用者に提示することができる。
【００５７】
（処理フロー）
次に、第１実施例でシステムコントローラ２０が実行する処理手順について図５を用いて説明する。図５は、第１実施例でシステムコントローラ２０が実行する処理手順を示すフローチャートの一例である。ここでは、一例として、名称検索の場合の処理フローについて説明する。システムコントローラ２０は、図５に示すフローチャートの処理を、所定の周期に従い繰り返し実行する。
【００５８】
まず、システムコントローラ２０は、検索文字列の入力を受け付ける（ステップＳ１０１）。具体的には、システムコントローラ２０は、例えば図３（ａ）に示すような表示画面７０ｘを表示し、使用者から検索文字列の入力を受け付ける。また、システムコントローラ２０は、ジャンル選択ボタン７３の押下を検知した場合、指定ジャンルの選択画面を表示し、指定ジャンルを受け付ける。さらに、システムコントローラ２０は、エリア選択ボタン７４の押下を検知した場合、指定エリアの選択画面を表示し、指定エリアを受け付ける。
【００５９】
次に、システムコントローラ２０は、ジャンルの指定があるか否か判定する（ステップＳ１０２）。そして、ジャンルの指定がある場合（ステップＳ１０２；Ｙｅｓ）、システムコントローラ２０は、指定ジャンルを検索条件に追加する（ステップＳ１０３）。一方、ジャンルの指定がない場合（ステップＳ１０２；Ｎｏ）、システムコントローラ２０は、ステップＳ１０４へ処理を進める。
【００６０】
次に、システムコントローラ２０は、エリアの指定があるか否か判定する（ステップＳ１０４）。そして、エリアの指定がある場合（ステップＳ１０４；Ｙｅｓ）、システムコントローラ２０は、指定エリアを検索条件に追加する（ステップＳ１０５）。一方、エリアの指定がない場合（ステップＳ１０４；Ｎｏ）、システムコントローラ２０は、ステップＳ１０６へ処理を移行する。
【００６１】
次に、システムコントローラ２０は、検索を実行する（ステップＳ１０６）。具体的には、システムコントローラ２０は、ステップＳ１０１乃至ステップＳ１０５で特定した検索条件を満たす施設を該当施設として抽出する。
【００６２】
そして、システムコントローラ２０は、該当施設があるか否か判定する（ステップＳ１０７）。即ち、システムコントローラ２０は、検索条件を満たす施設が存在するか否か判定する。そして、該当施設が存在する場合（ステップＳ１０７；Ｙｅｓ）、システムコントローラ２０は、駐車ポイント数Ｎｐに基づき該当施設をソートする（ステップＳ１０８）。言い換えると、システムコントローラ２０は、駐車ポイント数Ｎｐが大きい該当施設ほど、表示順位を高く設定する。そして、システムコントローラ２０は、検索結果を表示する（ステップＳ１０９）。このとき、システムコントローラ２０は、駐車ポイント数Ｎｐが多い該当施設ほど、検索結果リストの上位に表示する。これにより、システムコントローラ２０は、駐車しやすい施設ほど優先的に使用者に提示し、使用者の選択の利便性を向上させることができる。
【００６３】
以上説明したように、本実施例に係るナビゲーション装置は、ナビゲーション装置は、車両に設置され、記憶部と、検索条件特定手段と、検索手段と、検索結果出力手段と、を備える。記憶部は、経路案内の目標地となる候補と、これに関連する駐車ポイントとを関連付けて記憶する。検索条件特定手段は、使用者の操作に基づき、検索条件を特定する。検索手段は、検索条件を満たす候補を検索する。検索結果出力手段は、検索条件を満たす候補のうち、当該候補に関連付けられた駐車ポイントの数が大きい候補ほど、優先的に検索結果として表示する。このようにすることで、ナビゲーション装置は、駐車しやすい候補を検索結果として積極的に提示することができる。従って、使用者は駐車しやすい候補を目標地として選択することが容易となり、利便性が向上する。また、駐車ポイントは、通常、多数の者が立ち寄る大型施設に多く関連付けられる。従って、使用者は、初めて行く場所であっても、大型施設を検索結果から容易に選択することができる。
【００６４】
［第２実施例］
次に、第２実施例でシステムコントローラ２０が実行する処理について説明する。概略的には、システムコントローラ２０は、駐車ポイントＰの種類ごとの駐車ポイント数Ｎｐ（以後、「種別駐車ポイント数Ｎｐｓ」と呼ぶ。）と、いずれの種別駐車ポイント数Ｎｐｓを優先させるかを定めた優先順位（以後、「種別間優先順位」と呼ぶ。）とに基づき、該当施設の表示順位を定める。これにより、より使用者の選択の利便性を向上させる。
【００６５】
これについて再び図２を参照して具体的に説明する。なお、検索条件特定部２０１及び検索部２０２が実行する処理は、第１実施例と同様であるため、その説明を省略する。
【００６６】
まず、検索結果出力部２０３は、種別間優先順位が最も高い種別駐車ポイント数Ｎｐｓが多い該当施設ほど、表示順位を高く設定する。次に、検索結果出力部２０３は、上述の処理の結果、表示順位が同一の該当施設、即ち上述の種別駐車ポイント数Ｎｐｓが同一の該当施設に対し、種別間優先順位が２番目に高い種別駐車ポイント数Ｎｐｓが多い該当施設ほど、表示順位を高く設定する。さらに、上述の２つの種別駐車ポイント数Ｎｐｓが同一の該当施設に対し、検索結果出力部２０３は、種別間優先順位が３番目に高い種別駐車ポイント数Ｎｐｓが多い該当施設ほど、表示順位を高く設定する。なお、検索結果出力部２０３は、全ての種別駐車ポイント数Ｎｐｓが同じ該当施設が存在する場合、５０音順に基づきこれらの表示順位を決定してもよく、現在地に近い該当施設ほど表示順位を高く設定してもよい。
【００６７】
次に、検索結果出力部２０３は、上述の処理により決定した表示順位に基づき該当施設を表示ユニット４０により表示する。即ち、検索結果出力部２０３は、表示順位が高い該当施設ほど、検索結果リストの上位に表示する。
【００６８】
このようにすることで、システムコントローラ２０は、さらに使用者の利便性を向上させることができる。例えば、個人駐車ポイントＰｉの種別間優先順位が最も高く設定された場合、システムコントローラ２０は、個人駐車ポイントＰｉの数が多い施設を優先的に使用者へ提示する。従って、この場合、システムコントローラ２０は、搭載車両の使用者が行く頻度が高い施設を検索結果リストの上位に表示することができる。他の例では、共有駐車ポイントＰｕの種別間優先順位が最も高く設定された場合、システムコントローラ２０は、共有駐車ポイントＰｕの数が多い施設を優先的に使用者へ提示する。従って、この場合、システムコントローラ２０は、駐車ポイントＰを共有する他のナビゲーション装置の使用者が多く利用する施設を検索結果リストの上位に表示することができる。
【００６９】
（表示例）
図６は、第２実施例の出力画面表示例を示す。表示画面７０ｚは、第１実施例の表示画面７０ｙと同様、検索結果リスト７６と、検索結果リスト７６の表示部分の切り替えを実行するための表示切替ボタン７７と、検索結果リスト７６の表示部分の位置を表示するスクロールバー７８と、地図表示部７９と、を備える。なお、図６では、種別間優先順位は、個人駐車ポイントＰｉ、共有駐車ポイントＰｕ、既存駐車ポイントＰａの順に設定されているものとする。
【００７０】
図６に示すように、検索結果リスト７６は、それぞれ、施設名称表示欄８６と、個人駐車ポイント数表示欄８７ａと、共有駐車ポイント数表示欄８７ｂと、既存駐車ポイント数表示欄８７ｃと、を備える。個人駐車ポイント数表示欄８７ａは、個人駐車ポイントＰｉの数（以後、「個人駐車ポイント数Ｎｐｉ」と呼ぶ。）を表示する欄である。共有駐車ポイント数表示欄８７ｂは、共有駐車ポイントＰｕの数（以後、「共有駐車ポイント数Ｎｐｕ」と呼ぶ。）を表示する欄である。既存駐車ポイント数表示欄８７ｃは、既存駐車ポイントＰａの数（以後、「既存駐車ポイント数Ｎｐａ」と呼ぶ。）を表示する欄である。
【００７１】
そして、検索結果リスト７６の最上位には、種別間優先順位が最も高い個人駐車ポイント数Ｎｐｉが最多の「４」である該当施設「ＡＢＣ駅」が表示されている。２番目と３番目の検索結果リスト７６には、個人駐車ポイント数Ｎｐｉが「３」の該当施設「ＡＢＣ駅前ビル」及び該当施設「ＡＢＣ駅前公園」が表示されている。なお、図６では、該当施設「ＡＢＣ駅前ビル」は、該当施設「ＡＢＣ駅前公園」よりも、種別間優先順位が２番目に高い共有駐車ポイント数Ｎｐｕが多い。従って、該当施設「ＡＢＣ駅前ビル」は、該当施設「ＡＢＣ駅前公園」よりも上位に表示されている。そして、４番目の検索結果リスト７６には、個人駐車ポイント数Ｎｐｉが４番目に高い該当施設「ＡＢＣ駅前量販店」が表示されている。なお、検索結果出力部２０３は、使用者による表示切替ボタン７７への押下を検知した場合、表示順位が５番目以降の検索結果リスト７６を適宜表示する。
【００７２】
また、地図表示部７９は、表示順位が最も高い該当施設「ＡＢＣ駅」の周辺地図を表示している。ここで、アイコン８０ａは、個人駐車ポイントＰｉの位置を表示する。アイコン８０ｂは、共有駐車ポイントＰｕの位置を表示する。アイコン８０ｃは、既存駐車ポイントＰａの位置を表示する。
【００７３】
このように、個人駐車ポイントＰｉの種別間優先順位が最も高く設定されることで、システムコントローラ２０は、個人駐車ポイントＰｉの数が多い施設を優先的に使用者へ提示することができる。従って、システムコントローラ２０は、搭載車両の使用者が行く頻度が高い施設を検索結果リスト７６の上位に表示することができる。また、システムコントローラ２０は、個人駐車ポイント数表示欄８７ａ、共有駐車ポイント数表示欄８７ｂ、及び既存駐車ポイント数表示欄８７ｃにより各種別駐車ポイント数Ｎｐｓを表示している。従って、使用者は、検索結果リスト７６から、各該当施設の種別駐車ポイント数Ｎｐｓを容易に把握することができ、選択の利便性が向上する。
【００７４】
（処理フロー）
次に、第２実施例の処理フローについて再び図５を参照して説明する。第２実施例では、システムコントローラ２０は、ステップＳ１０１乃至ステップＳ１０７の実行後、ステップＳ１０８の処理に代えて、種別間優先順位と、種別駐車ポイント数Ｎｐｓとに基づき、該当施設のソートを行い、表示順位を決定する。そして、システムコントローラ２０は、ステップＳ１０９と同様、検索結果を表示する。
【００７５】
［変形例］
以下、本実施例の各変形例について説明する。なお、これらの各変形例は、任意に組み合わせて上述の各実施例に適用することが可能である。
【００７６】
（変形例１）
図５等では、システムコントローラ２０は、名称検索の検索結果の表示順位を、駐車ポイント数Ｎｐ又は種別駐車ポイント数Ｎｐｓに基づき決定した。しかし、本発明が適用可能な検索対象は、これに限定されない。具体的には、システムコントローラ２０は、名称検索に代えて、電話番号に基づく施設の検索（電話番号検索）、又は、ジャンルに基づく施設の検索（ジャンル検索）、その他の検索の検索結果に対しても、第１又は第２実施例の処理を実行してもよい。
【００７７】
この場合、システムコントローラ２０は、各種の検索に基づき得られた該当施設を、駐車ポイント数Ｎｐが大きいほど優先的に表示する。または、システムコントローラ２０は、各種の検索に基づき得られた該当施設を、種別間優先順位が高い種別駐車ポイント数Ｎｐｓが大きいほど優先的に表示する。
【００７８】
（変形例２）
システムコントローラ２０は、第１及び第２実施例の各処理を、使用者からの明示的な指示があった場合のみ実行してもよい。この場合、システムコントローラ２０は、例えば図３（ａ）の表示画面７０ｘに、駐車ポイント数Ｎｐ又は種別駐車ポイント数Ｎｐｓに基づき検索結果を表示する旨の指示ボタンをさらに表示する。そして、システムコントローラ２０は、当該指示ボタンの押下を検出した場合のみ、駐車ポイント数Ｎｐ又は種別駐車ポイント数Ｎｐｓに基づき該当施設を並べて検索結果リストを表示する。これによっても、システムコントローラ２０は、使用者の利便性を向上させることができる。
【００７９】
（変形例３）
図３（ｂ）の表示画面７０ｙでは、システムコントローラ２０は、駐車ポイント数表示欄８７に各該当施設の駐車ポイント数Ｎｐを数字で表示した。これに代えて、システムコントローラ２０は、各検索結果リスト７６に、該当施設の駐車ポイント数Ｎｐを棒グラフなどのグラフ等感覚的に把握可能な表示にしてもよい。同様に、システムコントローラ２０は、図６の表示画面７０ｚ中の個人駐車ポイント数表示欄８７ａ、共有駐車ポイント数表示欄８７ｂ、及び既存駐車ポイント数表示欄８７ｃ中の表示を、数字に代えて感覚的に把握可能な表示にしてもよい。
【００８０】
（変形例４）
第２実施例では、システムコントローラ２０は、駐車ポイントＰの種類を、個人駐車ポイントＰｉ、共有駐車ポイントＰｕ、及び既存駐車ポイントＰａと定めた。しかし、本発明が適用可能な駐車ポイントＰの種類は、これに限定されない。これに代えて、システムコントローラ２０は、さらに詳細に駐車ポイントＰを分類してもよい。または、システムコントローラ２０は、駐車ポイントＰを２種類に分類してもよい。これらの場合でっても、システムコントローラ２０は、各駐車ポイントＰの種類に種別間優先順位を設定し、種別間優先順位が高い種別の種別駐車ポイント数Ｎｐｓが大きいほど、検索結果の該当施設を高い表示順位に設定する。
【００８１】
（変形例５）
第２実施例では、システムコントローラ２０は、種別間優先順位が高い種別駐車ポイント数Ｎｐｓが大きいほど、その該当施設を優先的に表示した。しかし、本発明が適用可能な方法は、これに限定されない。これに代えて、システムコントローラ２０は、種別間優先順位に基づき種別駐車ポイント数Ｎｐｓに所定の重み付けを行い、重み付け後の各種別駐車ポイント数Ｎｐｓの合算値（以後、単に「合算値Ｇ」と呼ぶ。）が大きいほど、その該当施設を優先的に表示してもよい。
【００８２】
これについて、図６を用いて具体的に説明する。ここでは、個人駐車ポイント数Ｎｐｉの重み付け係数を「３」、共有駐車ポイント数Ｎｐｕの重み付け係数を「２」、既存駐車ポイント数Ｎｐａの重み付け係数を「１」とする。この場合、該当施設「ＡＢＣ駅」の合算値Ｇは「１８」、該当施設「ＡＢＣ駅前ビル」の合算値Ｇは「１３」、該当施設「ＡＢＣ駅前公園」の合算値Ｇは「１０」、該当施設「ＡＢＣ駅前量販店」の合算値Ｇは「１２」となる。従って、この場合、該当施設「ＡＢＣ駅前公園」と該当施設「ＡＢＣ駅前量販店」との表示順位が入れ替わる。
【００８３】
以上のように、システムコントローラ２０は、合算値Ｇに基づき該当施設の表示順位を決定することによっても、駐車ポイントＰの種類を考慮して検索結果を使用者に提示することができる。
【００８４】
（変形例６）
［概略構成］のセクションの駐車ポイントＰの説明では、１の駐車場に対し複数の入り口が存在した場合、駐車ポイント数Ｎｐは、当該入口の数だけカウントされた。これに代えて、駐車ポイント数Ｎｐは、駐車場の数だけカウントされてもよい。即ち、駐車ポイント数Ｎｐは、１の駐車場に対し複数の入り口が存在した場合であっても、当該駐車場に対し１だけカウントされる。
【産業上の利用可能性】
【００８５】
本発明は、車載用ナビゲーション装置、ＰＮＤ（Ｐｅｒｓｏｎａｌ  Ｎａｖｉｇａｔｉｏｎ  Ｄｅｖｉｃｅ）、その他ナビゲーション機能を有する端末に好適に適用することができる。
【符号の説明】
【００８６】
１  ナビゲーション装置
１０  自立測位装置
１２  ＧＰＳ受信機
２０  システムコントローラ
２２  ＣＰＵ
３６  データ記憶ユニット
３８  通信装置
４０  表示ユニット
４４  ディスプレイ
６０  入力装置
【図１】
0005623731.tif 000002
【図２】
0005623731.tif 000003
【図３】
0005623731.tif 000004
【図４】
0005623731.tif 000005
【図５】
0005623731.tif 000006
【図６】
0005623731.tif 000007